(57)【要約】【課題】フリーポールフェンスのブラケット支持を安定して確実に行うようにすることによってフェンスの耐水平荷重性を高度に確保できるようにする。【解決手段】フェンス本体２の下枠２４下面に背面のくびれ壁２９を有する遊嵌溝２８を正背面対称形状に設置する一方，支柱１に固定した下位ブラケット２４の水平の下枠載置片４３に下枠２４を載置して，この下枠載置片４３の先端に上向きに立上げ設置して上記くびれ壁２９に合せた形状の係止突片４５を挿入するとともにこの係止突片４５の幅方向に複数設置した遊び吸収リブ４６によって遊嵌溝２８と係止突片４５の寸法差を吸収して遊嵌溝２８に係止突片４５が確実に且つ強固に係止することによって下枠２４の下支え支持の安定性を向上する。【選択図】　　　　図４
2004068481.tif 000002
【特許請求の範囲】
【請求項１】
下位ブラケットに下枠を下支え支持し上位ブラケットに上枠を倒れ止め支持することによって支柱に設置した上下位のブラケットを介して該支柱の正面側にフェンス本体を設置するようにしたフェンスであって，フェンス本体における下枠の下面にその正面側端部に位置して下向きに開口し背面側内壁を正面側に向けて部分突出することによって該背面側内壁をくびれ壁とした遊嵌溝を形成し，上記下位ブラケットを支柱取付用垂直の取付片と該取付片から正面側に突出した下枠載置片と該下枠載置片の先端に上向きに突出して上記くびれ壁に対接可能のくびれ対応形状にして且つ上記遊嵌溝との遊びを吸収するように正面側に突出した遊び吸収リブを具有した上向きの係止突片とを備えて形成し，上記下枠を下位ブラケットの下枠載置片に載置下支えするとともに下枠の上記遊嵌溝に下位ブラケットの上向きの係止突片を受入係止することによって上記下枠の下支え支持を行なってなることを特徴とするフリーポールフェンス。
【請求項２】
上記フェンス本体の下枠下面に上記遊嵌溝を正背面対称に一対配置することによって上記下枠の下支え支持をフェンス本体の表裏双方において自在としてなることを特徴とする請求項１に記載のフリーポールフェンス。
【請求項３】
上記下位ブラケットの上向きの係止突片に具備した遊び吸収リブを，下位ブラケットの下枠載置片の下面に設置した補強リブと連続形成した幅方向に複数の連続したリブによるものとしてなることを特徴とする請求項１又は２に記載のフリーポールフェンス。
【発明の詳細な説明】
【０００１】
【発明の属する技術分野】
本発明は道路や隣地との境界に設置使用するフリーポールフェンスに関する。
【０００２】
【従来の技術】
この種フリーポールフェンスは，例えば下位ブラケットに下枠を下支え支持し上位ブラケットに上枠を倒れ止め支持することによって支柱に設置した上下位のブラケットを介して該支柱の正面側にフェンス本体を設置するようにしたものとされ，このときフェンス本体における下枠の下面にその背面側端部に背面を延長するように下向きのフィンを形成し，上記下位ブラケットを支柱取付用垂直の取付片と該取付片から僅かに正面側に変位するように上向きに立上た立上片とを備えて形成し，上記下枠の下向きのフィンを下位ブラケットの立上片と支柱間に形成される引掛け溝に引掛け支持し，下枠の上記下支え支持を行ない，その後に支柱に上位ブラケットを設置し上枠を引寄せるように抱持状に支持することによって上枠の上記倒れ止め支持を行なうものとされている。
【０００３】
【発明が解決しようとする課題】
この場合支柱とフェンス本体の相対的な位置関係を問うことなく，支柱に対して上下位のブラッケットを介したフェンス本体の設置がその幅方向に任意の位置で可能となって，フリーポール形態のフェンスとすることができるとともに下位ブラケットの形態からこれがフェンス本体の下枠の正面側に露出することもなく，比較的外観よくフェンス本体の設置をなし得るものとすることができる。
【０００４】
しかし乍ら一方でフェンス本体の下位ブラケットによる下支え支持が，引掛け溝に対するフィンの引掛け支持とされることによって，引掛け支持の位置がフィン形成の下枠背面側の端部に限定されるから，風圧等の水平荷重を受けて前倒れ状態となり易いフェンスにおいて，フェンス本体の下支え支持として常に満足し得るものではなく，支柱に対して更に安定して確実且つ強固にフェンス本体を設置しうるようにすることが望まれる。
【０００５】
本発明はかかる事情に鑑みてなされたもので，その解決課題とするところは，上記フェンス本体を下支え支持するフリーポール形態のメリットを維持するとともに上記下支え支持を安定して確実且つ強固に行なえるようにしてフェンスとして充分な耐水平荷重性を確保したフリーポールフェンスを提供するにある。
【０００６】
【課題を解決するための手段】
上記課題に添って本発明は，下位ブラケットに下枠載置片を形成し，この下枠載置片にフェンス本体の下枠を載置下支えする一方，下枠載置片の先端に上向き係止突片を形成し，この上向き係止突片をフェンス本体の下枠下面の正面側端部に形成した溝に受入係止するようにするとともにこの溝を遊嵌溝として上向き係止突片を遊嵌するようにしてその受入係止の精度を問わないものとする一方で，上記遊嵌溝の背面側にくびれ壁を配置しこれに係止突片が対接し係止突片に形成したリブで遊嵌溝の遊びを吸収することによって上記受入係止が確実になされるようにして，下枠の下枠載置片上の載置下支えとその正面側の遊嵌溝への上向き係止突片の確実な受入係止によってフェンス本体を安定して確実且つ強固に下支え支持し得るようにしたものであって，即ち請求項１に記載の発明を，下位ブラケットに下枠を下支え支持し上位ブラケットに上枠を倒れ止め支持することによって支柱に設置した上下位のブラケットを介して該支柱の正面側にフェンス本体を設置するようにしたフェンスであって，フェンス本体における下枠の下面にその正面側端部に位置して下向きに開口し背面側内壁を正面側に向けて部分突出することによって該背面側内壁をくびれ壁とした遊嵌溝を形成し，上記下位ブラケットを支柱取付用垂直の取付片と該取付片から正面側に突出した下枠載置片と該下枠載置片の先端に上向きに突出して上記くびれ壁に対接可能のくびれ対応形状にして且つ上記遊嵌溝との遊びを吸収するように正面側に突出した遊び吸収リブを具有した上向きの係止突片とを備えて形成し，上記下枠を下位ブラケットの下枠載置片に載置下支えするとともに下枠の上記遊嵌溝に下位ブラケットの上向きの係止突片を受入係止することによって上記下枠の下支え支持を行なってなることを特徴とするフリーポールフェンスとしたものである。
【０００７】
請求項２に記載の発明は，上記に加えて，上記遊嵌溝を正背面対称（換言すれば下枠の縦断面正背面中央を基準にした対称）に配置することによって，フェンス本体の表裏いずれとしても正面側に位置する遊嵌溝が下位ブラケットの上向き係止突片を受入係止して，その設置をなし得るものとするように，これを，上記フェンス本体の下枠下面に上記遊嵌溝を正背面対称に一対配置することによって上記下枠の下支え支持をフェンス本体の表裏双方において自在としてなることを特徴とする請求項１に記載のフリーポールフェンスとしたものである。
【０００８】
請求項３に記載の発明は，同じく上記に加えて，遊嵌溝との遊びを吸収する下位ブラケットの上向き係止突片における遊び吸収リブを，上記下枠の載置下支えを行なう下枠載置片部分の下面に形成した複数の補強用リブと連続形成することによってリブの成型を容易化するとともに遊嵌溝にあって係止突片の転びやこれによる振れのない，係止突片の幅方向に複数箇所で確実な係止を行うようにし得るように，これを，上記下位ブラケットの上向きの係止突片に具備した遊び吸収リブを，下位ブラケットの下枠載置片の下面に設置した補強リブと連続形成した幅方向に複数の連続したリブによるものとしてなることを特徴とする請求項１又は２に記載のフリーポールフェンスとしたものである。
【０００９】
本発明はこれらをそれぞれ発明の要旨として上記課題解決の手段としたものである。
【００１０】
【発明の実施の形態】
以下図面の例に従って本発明を更に具体的に説明すれば，Ａはフリーポールフェンスであり，該フリーポールフェンスＡは，下位ブラケット４に下枠２４を下支え支持し上位ブラケット３に上枠２３を倒れ止め支持することによって支柱１に設置した上下位のブラケット３，４を介して該支柱１の正面側にフェンス本体２を設置するようにしたものとし，これによって支柱１に対して上下位のブラッケット３，４を介したフェンス本体２の設置をその幅方向に任意の位置でなし得るフリーポール形態のものとしてある。
【００１１】
支柱１は，例えばコンクリートブロックの透孔に先端を差入れてモルタル固定するように，下端に先細の樹脂キャップ１１を備えた断面矩形にしてアルミ押出材製中空の支柱としてあり，またフェンス本体２は，例えば，平行多数の格子桟を格子組みすることによって斜め格子として形成した仕切体２１の外周に矩形の外枠として上枠２３，下枠２４，左右の縦枠２５を枠組みして配置した，同じくアルミ押出形材製のものとしてある。
【００１２】
フェンス本体２の上下位のブラケット３，４を介した支柱１への設置は，上記のとおり下位ブラケット４に下枠２４を下支え支持し，上位ブラケット３に上枠２３を倒れ止め支持することによって，これを行なっているが，該下枠２４による下支え支持は，フェンス本体２における下枠２４の下面にその正面側端部に位置して下向きに開口し背面側内壁を正面側に向けて部分突出することによって該背面側内壁をくびれ壁２９とした遊嵌溝２８を形成し，上記下位ブラケット４を支柱取付用垂直の取付片４１と該取付片４１から正面側に突出した下枠載置片４３と該下枠載置片４３の先端に上向きに突出して上記くびれ壁２９に対接可能のくびれ対応形状にして且つ上記遊嵌溝２８との遊びを吸収するように正面側に突出した遊び吸収リブ４６を具有した上向きの係止突片４５とを備えて形成し，上記下枠２４を下位ブラケット４の下枠載置片４３に載置下支えするとともに下枠２４の上記遊嵌溝２８に下位ブラケット４の上向きの係止突片４５を受入係止することによって，これを行なったものとしてあり，また上位ブラケット３による上枠２３の倒れ止め支持は，本例にあっては，例えば支柱１上端にその中空の頂面を塞ぐように載置する閉塞片３１と，該閉塞片３１に設置し又はこれから垂下した取付片３２に設置した固定部と，上記閉塞片３１の正面側に側面Ｌ字状をなすように突出して配置した上枠抱持片３３とを備えて形成し，上記上枠２３を上枠抱持片３３によって上から抱え持つようにしてその倒れ止め支持を行なったものとしてある。
【００１３】
本例にあってフェンス本体２の上下枠２３，２４は，それぞれその対向面に上記仕切体２１の上下端部に横設した取付枠２２を挿入するスライド溝２６と仕切体２１の上下先端部を受入れる凹溝２７を備えるとともに下枠２４にあってはその下面に上記遊嵌溝２８を配置した，それぞれ断面矩形乃至方形のアルミ押出材製中空のものとしてあり，このとき本例の上記フェンス本体２の下枠２４下面の上記遊嵌溝２８は，これを正背面対称に一対配置することによって上記下枠２４の下支え支持をフェンス本体２の表裏双方において自在とするようにしてあり，本例の下枠２４は該正背面対称に遊嵌溝２８を一対配置することによって，該下枠２４自体を正背面対称に形成したものとしてある。
【００１４】
遊嵌溝２８は，下枠２４下面の，本例にあって正背面側にそれぞれ配置した各下向きのフィンで区画することによって正面及び背面側端部に上向きにして左右に対称の凹陥溝を形成するように配置してあり，このとき上記背面側内壁のくびれ壁２９は，例えば該内壁を正面側に円形乃至楕円形等に膨出し，該遊嵌溝２８の奥行方向を広く，くびれ壁２９部分を狭くするようにこれを形成したものとしてあり，これによってくびれ壁２９が，該遊嵌溝２８による係止突片４５の受入係止時の，例えば弾発的な係止機能を果し得るようにしてある。
【００１５】
下位ブラケット４は，上記取付片４１，下枠載置片４３及び上向きの係止突片４５とを備えて側面を倒Ｌ字状乃至倒Ｓ字状をなすようにしてあり，このとき本例にあって上記係止突片４５に具有して遊嵌溝２８との遊びを吸収する遊び吸収リブ４６は，これを，下位ブラケット４の下枠載置片４３の下面に設置した補強リブ４７と連続形成した幅方向に複数の連続したリブによるものとしてある。
【００１６】
即ち本例の下位ブラケット４は，アルミと接触してアルミに電蝕を生じない金属，例えばステンレスにプレス加工を施すことによって形成したものとしてあり，本例にあっては固定用の透孔４２を透設した取付片４１を支柱取付用に垂直な片部とし，下枠載置片４３を該垂直な取付片４１の正面側に直交するように折曲した水平の片部とし，係止突片４５を該水平の片部の正面側先端を上向きに折曲しその高さを上記遊嵌溝２８の奥行寸法に合せた小突片とするとともにその形状を正面側に膨出することによって遊嵌溝２８における背面側内壁のくびれ壁２９形状に合せて正面側を，例えば側面Ｃ字状等の湾曲形状に膨出するようにしたくびれ対応形状とし，また下枠載置片４３下面，本例にあっては特に取付片４１の正面から該下枠載置片４３の下面を介して係止突片４５正面に至るように上記補強リブ４７と遊び吸収リブ４６をＳ字状一連に連続した連続形成のリブを配置して，特に支持強度に優れたブラケットとしてあり，更に本例にあっては取付片４１の上部を切起し加工することによって，下枠載置片４３の幅方向中央位置に背面側に水平に突出し先端を引掛け用の鉤状とした支柱引掛部４４を形成し，該下位ブラケット４の支柱１に対する位置決めをなし得るようにしてある。
【００１７】
支柱１へのフェンス本体２の設置は，本例にあって，例えば支柱１所定位置の受孔に鉤状の支柱引掛け部４４を挿入載置することによって取付片４１を支柱１に位置決めして当接し，透孔４２から固定金具，例えばリベットによって取付片４１を支柱１正面に添設固定することによって下位ブラケット４を設置し，フェンス本体２を該下位ブラケット４に載せるように，その下枠２４を下枠載置片４３に載置するとともに下枠載置片４３先端の上向きの係止突片４５に下枠２４の遊嵌溝２８を載せるようにして，該遊嵌溝２８に係止突片４５を弾発的且つ密嵌状に受入係止することによって，所定間隔に設置した複数の支柱１の下位ブラケット４にフェンス本体２が跨るようにこれを下支え支持するものとしてある。その後に上枠２３を支柱１に突き当てるようにフェンス本体２を垂直に起して，上枠抱持片３３を上枠２３に引掛けるようにして該上枠抱持片３３によって上枠２３を上から抱え持つようにするとともに閉塞片３１を支柱１上端に載置し，該閉塞片３１に設置し又はこれから垂下した取付片３２に設置した固定部を支柱１に固定金具，例えば同じくリベットによって固定してその倒れ止め支持を行なってフェンス本体２の設置を完了するようにしてある。
【００１８】
本例のフリーポールフェンスＡは，フェンス本体２の設置が幅方向任意位置で可能となり，また比較的外観よくフェンス本体２の設置をなし得るものとなり，フリーポール形態のメリットを維持するとともに支持強度に優れた下位ブラケット４，特にその下枠載置片４３による下枠２４の載置下支えと下枠２４における正面側の遊嵌溝２８に対する下位ブラケット４の係止突片４５の寸法差を吸収してその遊びを解消して上記弾発的且つ密嵌状の受入係止によって下支え支持を極めて安定して確実且つ強固に行なうことによってフェンスとして高度な耐水平荷重性を確保したフリーポールフェンスとし得るとともに遊嵌溝２８が下位ブラケット４の係止突片４５を受入れるのに充分な溝幅を有する一方，くびれ壁２９とくびれ対応形状の係止突片４５によってその係止を行なうことによってフェンス本体２の設置を簡易に作業性よく行うことが可能となった。また本例にあっては上記下枠２４を正背面対称に形成し遊嵌溝２８を対称に一対配置したから，フェンス本体２が表裏いずれでも下位ブラケット４に下支え支持される結果，フェンス本体２の表裏がなくなり，その設置を更に容易になし得るようになり，更に本例にあっては遊嵌溝２８との遊びを吸収する遊び吸収リブ４６を補強用リブ４７と連続形成したことによってリブの成型を容易化するとともに遊嵌溝２８への係止突片４５の受入係止がその幅方向に複数箇所で確実になされて係止突片４５の転びやこれによる振れのない高度に安定した係止とすることができ，下位ブラケット４によるフェンス本体２の下支え支持の安定性を高度に確保できる。
【００１９】
図示した例は以上のとおりとしたが，下枠の遊嵌溝を正面側の片側のみに設けること，くびれ壁の形態を，例えば３角，５角等の多角形に突出したものとすること，上下枠に設置した仕切体固定用の凹陥溝に代えて，仕切体の上下端部に差込み固定したり，上下端部を突き当ててリベット等で固定したりする，適宜固定のためのフィンを設置したものとすること等を含めて，本発明の実施に当って支柱，フェンス本体，その下枠，上枠，上下位のブラケット，下枠の遊嵌溝，そのくびれ壁，下位ブラケットの取付片，下枠載置片，係止突片，その遊び吸収リブ，必要に応じて用いる連続したリブ等の各具体的構造，形状，材質，これらの関係，これらに対する付加等は，上記発明の要旨に反しない限り様々な形態のものとすることができる。
【００２０】
【発明の効果】
本発明は以上のとおりに構成したから，請求項１に記載の発明は，下位ブラケットに下枠載置片を形成し，この下枠載置片にフェンス本体の下枠を載置下支えする一方，下枠載置片の先端に上向き係止突片を形成し，この上向き係止突片をフェンス本体の下枠下面の正面側端部に形成した溝に受入係止するようにするとともにこの溝を遊嵌溝として上向き係止突片を遊嵌するようにしてその受入係止の精度を問わないものとする一方で，上記遊嵌溝の背面側にくびれ壁を配置しこれに係止突片が対接し係止突片に形成したリブで遊嵌溝の遊びを吸収することによって上記受入係止が確実になされるようにして，下枠の下枠載置片上の載置下支えとその正面側の遊嵌溝への上向き係止突片の確実な受入係止によってフェンス本体を安定且つ確実に下支え支持し得るようにして，上記下支え支持によってフェンス本体の幅方向任意位置の設置，比較的外観のよいフェンス本体の設置というフリーポール形態のメリットを維持するとともに上記安定して確実且つ強固に下支え支持するようにしてフェンスとして充分な耐水平荷重性を確保するとともにフェンス本体の設置を簡易且つ作業性よく行い得るフリーポールフェンスを提供することができる。
【００２１】
請求項２に記載の発明は，上記に加えて，上記遊嵌溝を正背面対称に配置することによって，フェンス本体の表裏いずれとしても正面側に位置する遊嵌溝が下位ブラケットの上向き係止突片を受入係止して，その設置をなし得るものとすることができる。
【００２２】
請求項３に記載の発明は，同じく上記に加えて，遊嵌溝との遊びを吸収する下位ブラケットの上向き係止突片における遊び吸収リブを，上記下枠の載置下支えを行なう下枠載置片部分の下面に形成した複数の補強用リブと連続形成することによってリブの成型を容易化するとともに遊嵌溝にあって係止突片の転びやこれによる振れのない，係止突片の幅方向に複数箇所で確実な係止を行うものとすることができる。
【図面の簡単な説明】
【図１】フリーポールフェンスの正面図である。
【図２】図１のＡ−Ａ線縦断面図である。
【図３】フェンス本体の支柱支持状態を示す側面図である。
【図４】支柱，下位ブラケット及び下枠の関係を示す一部切欠き断面図である。
【図５】下位ブラケットの側面図である。
【図６】下位ブラケットの正面図である。
【符号の説明】
Ａ　フェンス
１　支柱
２　フェンス本体
３　上位ブラケット
４　下位ブラケット
２３　上枠
２４　下枠
２８　遊嵌溝
４３　下枠載置片
４５　係止突片
４６　遊び吸収リブ
４７　補強リブ
【図１】
2004068481.tif 000003
【図２】
2004068481.tif 000004
【図３】
2004068481.tif 000005
【図４】
2004068481.tif 000006
【図５】
2004068481.tif 000007
【図６】
2004068481.tif 000008